(57)【特許請求の範囲】
【請求項１】
トナー像を担持する像担持体と、
転写電圧が印加されて転写部において前記像担持体から転写材にトナー像を転写させる転写手段と、
クリーニング電圧が印加されて前記像担持体上の残留トナーを帯電させるか又は一時的に回収するクリーニング部材と、
前記クリーニング部材に電圧を印加するクリーニング電圧印加手段と、
前記転写部において転写材からはみ出す前記像担持体上のはみ出し領域の残留トナーの発生の有無を判断するはみ出し発生判断手段と、
前記はみ出し発生判断手段により前記はみ出し領域に残留トナーが発生したと判断された際に、前記転写電圧が所定値より大きい場合は前記トナー像を形成するトナーの帯電極性と同極性のクリーニング電圧を前記クリーニング部材に印加させ、前記転写電圧が前記所定値以下の場合は前記トナー像を形成するトナーの帯電極性と逆極性のクリーニング電圧を前記クリーニング部材に印加させる制御手段と、
を有することを特徴とする画像形成装置。
【請求項２】
転写材の両面に対して画像形成を行うことが可能であり、前記転写電圧は前記像担持体からトナー像を転写させる面が転写材の一面目であるか二面目であるかによって決定され、前記制御手段は、前記像担持体からトナー像を転写させる面が転写材の一面目であるか二面目であるかによって、前記はみ出し発生判断手段により前記はみ出し領域に残留トナーが発生したと判断された際の前記クリーニング電圧を制御することを特徴とする請求項１に記載の画像形成装置。
【請求項３】
前記像担持体から転写材にトナー像を転写する際の前記転写電圧を検知する転写電圧検知手段を有し、前記制御手段は、前記転写電圧検知手段の検知結果によって、前記はみ出し発生判断手段により前記はみ出し領域に残留トナーが発生したと判断された際の前記クリーニング電圧を制御することを特徴とする請求項１に記載の画像形成装置。
【請求項４】
前記制御手段は、前記クリーニング部材に一時的に回収された残留トナーを画像形成時以外のタイミングで排出する動作を行わせることを特徴とする請求項１〜３のいずれか一項に記載の画像形成装置。
【請求項５】
転写材の全域にトナー像を形成する画像形成モードを有し、前記はみ出し発生判断手段は、該画像形成モードで画像形成を行う際に前記はみ出し領域に残留トナーが発生したと判断することを特徴とする請求項１〜４のいずれか一項に記載の画像形成装置。
【請求項６】
転写材のサイズを検知する転写材サイズ検知手段を有し、前記はみ出し発生判断手段は、前記像担持体上のトナー像のサイズと転写材のサイズとを比較して、前記はみ出し領域の残留トナーの発生の有無を判断することを特徴とする請求項１〜４のいずれか一項に記載の画像形成装置。
【請求項７】
前記転写部における前記像担持体上のトナー像に対する転写材の搬送位置ずれを検知する搬送位置ずれ検知手段を有し、前記はみ出し発生判断手段は前記搬送位置ずれ検知手段の検知結果により、前記はみ出し領域の残留トナーの発生の有無を判断するすることを特徴とする請求項１〜４のいずれか一項に記載の画像形成装置。
【発明の詳細な説明】
【技術分野】
【０００１】
本発明は、電子写真方式により画像を形成する画像形成装置に関するものである。
【背景技術】
【０００２】
従来、電子写真方式を利用した複写機やプリンターなどの画像形成装置として、中間転写体を使用した方式のものがある。中間転写体方式の画像形成装置では、一次転写工程と二次転写工程を経て、転写材上にカラー画像を形成することができる。
【０００３】
一次転写工程では、電子写真感光体（感光体）の表面に形成されたトナー像が中間転写体上に転写される。この一次転写工程が複数色のトナー像に関して繰り返し実行されることにより、中間転写体の表面に複数色のトナーから成る多重トナー像が形成される。二次転写工程では、その中間転写体上に形成された多重トナー像が紙などの転写材の表面に一括して転写される。その後、転写材上に転写されたトナー像は、定着手段により転写材に定着される。このようにして、フルカラー画像を形成することができる。
【０００４】
二次転写工程で転写材上に転写されず、中間転写体上に残留したトナー（転写残トナー、残留トナー）は、中間転写体上から除去する必要がある。この転写残トナーを中間転写体上から除去する方法として、特許文献１には、静電的に転写残トナーを除去する静電クリーニング方式が提案されている。即ち、クリーニング部材としてブラシ部材を設け、このブラシ部材に電圧を印加することで、中間転写体上の転写残トナーを所望の極性に帯電させる。そして、この帯電させたトナーを中間転写体から感光体に逆転写させることで、中間転写体上から回収する。又、中間転写体上の転写残トナーの一部は、ブラシ部材の内部にも一時的に回収される。このブラシ部材の内部に回収されたトナーは、ページ間（紙間）や画像形成完了後（後回転）などにブラシ部材から中間転写体上に排出され、中間転写体から感光体に逆転写されて回収される。
【０００５】
一方、転写残トナーを中間転写体上から除去する方法として、弾性ゴムで形成されるブレード部材などを中間転写体に当接させ、せん断力を働かせて中間転写体からトナーを掻き取って回収するクリーニング方式がある。上述の静電クリーニング方式は、このブレード部材などで掻き取るクリーニング方式に比べて、中間転写体やクリーニング部材に与えられる機械的負荷が小さく、耐久性能に優れるというメリットを有する。
【先行技術文献】
【特許文献】
【０００６】
【特許文献１】特開２００９−２０５０１２号公報
【発明の概要】
【発明が解決しようとする課題】
【０００７】
ところで、電子写真方式の画像形成装置で印字（プリント）動作を行う際、中間転写体上に形成されたトナー像のサイズよりも小さなサイズの転写材を用いて印字が行われる場合がある。この場合、二次転写部において中間転写体上のトナー像の一部が転写材からはみ出すような配置で二次転写工程が行われる。このような状況が生じる場合として、以下のような場合が考えられる。
【０００８】
近年、電子写真方式の画像形成装置においても、インクジェット方式の画像形成装置と同様に、転写材の周縁部に余白マージンがなく、転写材の全面に画像が形成される、所謂、縁無し印字が提案されている。縁無し印字では、中間転写体上に転写材よりも一回り大きなサイズのトナー像が形成され、これが転写材の周縁部にまたがるような配置で二次転写工程が行われる。
【０００９】
又、縁無し印字を行う場合ではなくても、上述のように二次転写部においてトナー像の一部が転写材からはみ出す状況となることがある。例えば、ユーザーがプリンタードライバー上で設定した転写材のサイズが、画像形成装置のカセット内にセットされた転写材のサイズとミスマッチする場合である。通常、画像形成装置は、このような場合でも直ちにはミスプリント処理動作を行わず、印字動作を完了した後にこれを行って、プリンタードライバー上でミスマッチが生じた旨の警告メッセージを表示するなどする。
【００１０】
以上のような、二次転写部において中間転写体上のトナー像の一部が転写材からはみ出すような配置で二次転写工程が行われると、中間転写体上に多量のトナーが残留する。これは、詳しくは後述するが、中間転写体上の転写材からはみ出す領域（以下「はみ出し領域」ともいう。）のトナーに十分な転写電界が作用しないことや、このトナーが転写電界と同極性に帯電させられることなどによる。このように中間転写体上に多量のトナーが残留すると、前述のような静電クリーニング方式を採用した画像形成装置では、次のような問題が発生することがある。
【００１１】
即ち、中間転写体上に多量に発生した転写残トナーが、中間転写体の表面の移動方向において二次転写部より下流に設けられたクリーニング部材に侵入することになる。そして、この転写残トナーが、クリーニング部材の入り口部付近で滞留したり、中間転写体上から離れて飛散したりする現象が生じることがある。この滞留したり飛散したりしたトナーは、画像形成装置の内部や転写材上に落下し、装置の汚れや画像不良を発生させる原因となる。
【００１２】
尚、以上では像担持体としての中間転写体上の転写残トナーを静電的にクリーニングする場合を例に従来の問題について説明したが、像担持体としての感光体を静電的にクリーニングする場合も同様の問題が発生するおそれがある。
【００１３】
従って、本発明の目的は、像担持体上のトナー像が転写材からはみ出すような配置で転写工程が行われた場合でも、像担持体上に発生した残留トナーを良好にクリーニング部材を用いて静電的に除去することのできる画像形成装置を提供することである。
【課題を解決するための手段】
【００１４】
上記目的は本発明に係る画像形成装置にて達成される。要約すれば、本発明は、トナー像を担持する像担持体と、転写電圧が印加されて転写部において前記像担持体から転写材にトナー像を転写させる転写手段と、クリーニング電圧が印加されて前記像担持体上の残留トナーを帯電させるか又は一時的に回収するクリーニング部材と、前記クリーニング部材に電圧を印加するクリーニング電圧印加手段と、前記転写部において転写材からはみ出す前記像担持体上のはみ出し領域の残留トナーの発生の有無を判断するはみ出し発生判断手段と、前記はみ出し発生判断手段により前記はみ出し領域に残留トナーが発生したと判断された際に、前記転写電圧が所定値より大きい場合は前記トナー像を形成するトナーの帯電極性と同極性のクリーニング電圧を前記クリーニング部材に印加させ、前記転写電圧が前記所定値以下の場合は前記トナー像を形成するトナーの帯電極性と逆極性のクリーニング電圧を前記クリーニング部材に印加させる制御手段と、を有することを特徴とする画像形成装置である。
【発明の効果】
【００１５】
本発明によれば、像担持体上のトナー像が転写材からはみ出すような配置で転写工程が行われた場合でも、像担持体上に発生した残留トナーを良好にクリーニング部材を用いて静電的に除去することができる。
【図面の簡単な説明】
【００１６】
【図１】本発明の一実施例に係る画像形成装置の模式的断面図である。
【図２】本発明の一実施例に係る画像形成装置の概略制御態様を示すブロック図である。
【図３】本発明の一実施例に係る画像形成装置におけるクリーニングブラシの近傍の模式図である。
【図４】二次転写前後の二次転写部におけるトナーの様子を示す模式図である。
【図５】二次転写前後の二次転写部におけるトナーの様子を示す模式図である。
【図６】本発明の一実施例に係る画像形成装置におけるクリーニングブラシの近傍の模式図である。
【図７】クリーニングブラシの近傍で発生することのあるトナーの滞留、飛散を説明するためのクリーニングブラシの近傍の模式図である。
【図８】本発明の一実施例に係る画像形成装置におけるクリーニングブラシの近傍の模式図である。
【図９】二次転写電圧と、はみ出し領域の転写残トナーの電荷量との関係の一例を示すグラフ図である。
【図１０】本発明の一実施例に係る画像形成装置における通常印字モードでの印字動作のタイミングチャート図である。
【図１１】本発明の一実施例に係る画像形成装置における縁無し印字モードでの印字動作のタイミングチャート図である。
【図１２】本発明の他の実施例に係る画像形成装置における縁無し印字モードでの印字動作を示すタイミングチャート図である。
【図１３】本発明を適用し得る他の画像形成装置の要部の模式的な断面図である。
【発明を実施するための形態】
【００１７】
以下、本発明に係る画像形成装置を図面に則して更に詳しく説明する。
【００１８】
実施例１
１．画像形成装置の全体構成
図１は、本発明の一実施例に係る画像形成装置の模式的な断面図である。本実施例の画像形成装置１００は、電子写真方式を用いてフルカラー画像を形成することのできる中間転写方式を用いたタンデム型のレーザービームプリンターである。
【００１９】
画像形成装置１００は、複数の色成分ごとに分解された画像情報に従って形成した複数色のトナー像を中間転写体上に重ね合わせて一次転写した後、このトナー像を転写材に一括して二次転写することで、フルカラー画像を形成することができる。
【００２０】
本実施例では、画像形成装置１００は、複数の画像形成部として、それぞれイエロー（Ｙ）、マゼンタ（Ｍ）、シアン（Ｃ）、ブラック（Ｋ）の各色のトナー像を形成する第１、第２、第３、第４の画像形成部（ステーション）Ｓａ、Ｓｂ、Ｓｃ、Ｓｄを有する。
【００２１】
尚、本実施例では、第１〜第４の画像形成部Ｓａ〜Ｓｄの構成及び動作は共通する部分が多い。従って、以下、区別を要しない場合には、いずれかの色用に設けられた要素であることを表すために図中の符号に与えた添え字ａ、ｂ、ｃ、ｄは省略して、各色用のものに共通して適用されるものとして総括的に説明する。
【００２２】
画像形成部Ｓは、第１の像担持体としてのドラム型の電子写真感光体（感光体）である感光ドラム１を有する。感光ドラム１は、駆動手段としての駆動モータによって図示矢印Ｒ１方向（反時計回り）に回転駆動される。感光ドラム１の周囲には、その回転方向に沿って順に、次の各手段が配置されている。先ず、帯電手段としてのローラ型の帯電部材である帯電ローラ２である。次に、露光手段としての露光装置（レーザースキャナ）３である。次に、現像手段としての現像装置４である。次に、一次転写手段としてのローラ型の一転写部材である一次転写ローラ５である。次に、感光体クリーニング手段としてのドラムクリーナ７である。
【００２３】
又、各画像形成部Ｓａ〜Ｓｄの各感光ドラム１ａ〜１ｄに対向するように、第２の像担持体としての無端ベルト状の中間転写体である中間転写ベルト６が配置されている。中間転写ベルト６は、無端ベルト状のフィルムで構成される。中間転写ベルト６は、複数の支持部材としての駆動ローラ６１、二次転写対向ローラ６２及びテンションローラ６３の３個のローラに張架されている。中間転写ベルト６は、駆動ローラ６１が図示矢印Ｒ２方向（時計回り）に回転駆動されることによって、感光ドラム１の表面の移動速度と略同じ速度で、図示矢印Ｒ３方向（時計回り）に回転（周回移動）する。各一次転写ローラ５は、中間転写ベルト６の内周面側において、中間転写ベルト６を挟んで各感光ドラム１と対向する位置に配置されている。一次転写ローラ５は、中間転写ベルト６を介して感光ドラム１に押圧され、感光ドラム１と中間転写ベルト６とが接触する一次転写部（一次転写ニップ）Ｎ１を形成する。又、中間転写ベルト６の外周面側において、中間転写ベルト６を挟んで二次転写対向ローラ６２と対向する位置には、二次転写手段としてのローラ型の二次転写部材である二次転写ローラ８が配置されている。二次転写ローラ８は中間転写ベルト６を介して二次転写対向ローラ６２に押圧され、中間転写ベルト６と二次転写ローラ８とが接触する二次転写部（二次転写ニップ）Ｎ２を形成する。又、中間転写ベルト６の外周面側において、中間転写ベルト６を挟んで駆動ローラ６１と対向する位置には、中間転写体クリーニング手段としてのベルトクリーナ１０が配置されている。ベルトクリーナ１０は、残留トナー回収手段としての、ブラシ型のクリーニング部材（静電クリーニング部材）であるクリーニングブラシ１１を有する。クリーニングブラシ１１は、中間転写ベルト６を介して駆動ローラ６１と対向する位置において、中間転写ベルト６の外周面に接触し、クリーニング部Ｎ３を形成する。
【００２４】
更に、画像形成装置１００は、転写材供給手段としての転写材供給部２０、両面印刷手段としての自動両面印字機構３０、定着手段としての定着装置４０などを有する。
【００２５】
画像形成時には、回転する感光ドラム１の表面は、帯電ローラ２により所定の極性（本実施例では負極性）の所定の電位に一様に帯電される。帯電した感光ドラム１の表面には、露光装置３から画像情報に従うレーザ光Ｌが照射される。これにより、感光ドラム１上に静電潜像（静電像）が形成される。感光ドラム１上に形成された静電潜像は、現像装置４によりトナー像として現像される。本実施例では、現像装置４は、反転現像方式にて、感光ドラム１上の静電潜像の現像を行う。即ち、現像装置４は、一様に帯電された後に露光されることによって電位の絶対値が低下した感光ドラム１上の露光部（明部）に、感光ドラム１の帯電極性と同極性に帯電したトナーを付着させることで現像を行う。
【００２６】
感光ドラム１上に形成されたトナー像は、一次転写部Ｎ１において、一次転写ローラ５の作用により、中間転写ベルト６上に一次転写される。このとき、一次転写ローラ５には、トナーの正規の帯電極性（本実施例では負極性）とは逆極性（本実施例では正極性）の一次転写電圧（一次転写バイアス）が、一次転写電圧印加手段としての一次転写電源５０から印加される。
【００２７】
例えば、フルカラー画像の形成時には、以上のような帯電、露光、現像、一次転写の各工程が第１、第２、第３、第４の画像形成部Ｓａ、Ｓｂ、Ｓｃ、Ｓｄにおいてこの順番で順次に行われる。これにより、中間転写ベルト６上に、イエロー、マゼンタ、シアン、ブラックの４色のトナー像が重ね合わされたフルカラー画像用の多重トナー像が形成される。
【００２８】
中間転写ベルト６上に形成されたトナー像は、二次転写部Ｎ２において、二次転写ローラ８の作用により、転写材Ｐ上に二次転写される。このとき、二次転写ローラ８には、トナーの正規の帯電極性（本実施例では負極性）とは逆極性（本実施例では正極性）の二次転写電圧（二次転写バイアス）が、二次転写電圧印加手段としての二次転写電源８０から印加される。
【００２９】
転写材Ｐは、転写材供給部２０において、中間転写ベルト６上のトナー像が二次転写部Ｎ２に搬送されるタイミングと同期するようにして、二次転写部Ｎ２まで搬送される。転写材供給部２０では、カセット２１に収容されている転写材Ｐは、供給ローラ２２により送り出された後、レジストローラ２３により二次転写部Ｎ２に所定のタイミングで供給される。
【００３０】
二次転写部Ｎ２でトナー像が転写された転写材Ｐは、定着装置４０に搬送される。定着装置４０は、熱源を有する加熱ローラ４１と、加熱ローラ４１に圧接される加圧ローラ４２とを有し、これらローラ対の接触部（定着ニップ）で転写材Ｐを挟持して搬送することで、未定着トナー像を担持した転写材Ｐを加熱及び加圧する。これにより、転写材Ｐ上のトナーが溶融し、その後固着することで、転写材Ｐ上に定着される。
【００３１】
トナー像が定着された転写材Ｐは、排出ローラ８０、８１などにより、画像形成装置１００の外部に排出される。
【００３２】
尚、本実施例の画像形成装置１００は、転写材Ｐの両面に自動的に画像を形成することを可能とする自動両面印字機構３０を有する。両面印字を行う際には、一面目にトナー像が定着され転写材Ｐは、自動両面印字機構３０により再び二次転写部Ｎ２に向けて搬送される。両面印字の動作については後述して更に説明する。
【００３３】
一次転写工程において中間転写ベルト６に転写されずに感光ドラム１上に残留したトナー（転写残トナー、残留トナー）は、ドラムクリーナ７により感光ドラム１上から除去されて回収される。ドラムクリーナ７は、感光ドラム１の表面に当接する板状の弾性体であるクリーニングブレード７１を有する。又、ドラムクリーナ７は、クリーニングブレード７１により感光ドラム１の表面から除去されたトナーを回収する回収容器７２を有する。クリーニングブレード７１は、回転する感光ドラム１の表面からトナーを掻き取り、回収容器７２に回収する。
【００３４】
又、二次転写工程において転写材Ｐに転写されずに中間転写ベルト６上に残留したトナー（転写残トナー、残留トナー）は、クリーニングブラシ１１により所定の極性の電荷が付与されて、中間転写ベルト６の移動に伴ってクリーニング部Ｎ３を通過する。このとき、クリーニングブラシ１１には、クリーニング電圧印加手段としてのクリーニング電源１２によりクリーニング電圧（クリーニングバイアス）が印加される。この所定の極性の電荷が付与されたトナーは、後続ページの一次転写工程と同時、又はページ間（紙間）や画像形成完了後（後回転）のタイミングで、いずれかの画像形成部Ｓ（本実施例では第１の画像形成部Ｓａ）の一次転写部Ｎ１で感光ドラム１に逆転写される。このとき、その画像形成部Ｓの一次転写ローラ５には、逆転写電圧として、一次転写電源５０から、上記付与された電荷と同極性の電圧が印加される。そして、中間転写ベルト６から感光ドラム１に逆転写されたトナーは、ドラムクリーナ７によって感光ドラム１上から除去されて回収される。
【００３５】
又、二次転写工程において転写材Ｐに転写されずに中間転写ベルト６上に残留したトナーの一部が、中間転写ベルト６の移動に伴ってクリーニング部Ｎ３でクリーニングブラシ１１の内部に回収されることがある。このクリーニングブラシ１１内に回収されたトナーは、ページ間（紙間）や画像形成完了後（後回転）などのタイミングで、中間転写ベルト６上に排出された後に、いずれかの画像形成部Ｓの一次転写部Ｎ１で感光ドラム１に逆転写される。このとき、その画像形成部Ｓの一次転写ローラ５には、逆転写電圧として、一次転写電源５０から、中間転写ベルト６上に排出されたトナーと同極性の電圧が印加される。そして、中間転写ベルト６から感光ドラム１に逆転写されたトナーは、ドラムクリーナ７によって感光ドラム１上から除去されて回収される。本実施例では、この逆転写、回収は、第１の画像形成部Ｓａで行われる。ベルトクリーナ１０による中間転写ベルト６のクリーニング動作については、後述して更に説明する。
【００３６】
尚、本実施例の画像形成装置１００は、プロセススピードが１１６ｍｍ／ｓであり、最大Ａ４サイズの転写材Ｐに画像を形成することができる。
【００３７】
又、本実施例では、感光ドラム１と、感光ドラム１に作用するプロセス手段としての帯電ローラ２、現像装置４及びドラムクリーナ７とは、プロセスカートリッジ３０として一体的に画像形成装置１００の装置本体に対して着脱可能とされている。
【００３８】
２．一次転写ローラ
本実施例では、一次転写ローラ５として、体積抵抗率が１０4〜１０6Ωｃｍ、ゴム硬度が３０°（アスカーＣ硬度計）の弾性ローラを用いた。一次転写ローラ５は、中間転写ベルト６を介して感光ドラム１に対し総圧約９．８Ｎで押圧される。又、一次転写ローラ５は、中間転写ベルト６の回転に対して従動して回転する。
【００３９】
一次転写ローラ５には、一次転写電源５０から、−１．０〜＋１．０ｋＶの一次転写電圧の印加が可能となっている。即ち、本実施例では、一次転写電源５０は、定電圧制御にて、一次転写ローラ５に対して正負両極性の電圧を印加することができる。一次転写電源５０から一次転写ローラ５に正極性の電圧を印加すると、負極性のトナーが感光ドラム１から中間転写ベルト６に向かう方向（即ち、正極性のトナーが中間転写ベルト６から感光ドラム１に向かう方向）の電界が一次転写部Ｎ１に形成される。一次転写電源５０から一次転写ローラ５に負極性の電圧を印加すると、負極性のトナーが中間転写ベルト６から感光ドラム１に向かう方向の電界が一次転写部Ｎ１に形成される。
【００４０】
３．中間転写ベルト
本実施例では、中間転写ベルト６として、厚さが６０μｍで、導電剤を混合することにより体積抵抗率を１０9Ωｃｍに調整した、ポリイミド樹脂のフィルムを用いた。又、中間転写ベルト６は、駆動ローラ６１、二次転写対向ローラ６２及びテンションローラ６３の３軸に張架され、テンションローラ６３により総圧約２０Ｎの張力が付与されている。
【００４１】
４．二次転写ローラ
本実施例では、二次転写ローラ８として、弾性体上に樹脂層を設け、体積抵抗率が１０7〜１０9Ωｃｍ、硬度が６０°とされたローラを用いた。二次転写ローラ８は、中間転写ベルト６を介して二次転写対向ローラ６２に対し、総圧約３９．２Ｎで押圧される。又、二次転写ローラ８は、中間転写ベルト６の回転に対して従動して回転する。
【００４２】
二次転写ローラ８には、二次転写電源８０から、０〜＋４．０ｋＶの二次転写電圧の印加が可能となっている。即ち、本実施例では、二次転写電源８０は、定電圧制御にて、二次転写ローラ８に対して正極性の電圧を印加することができる。二次転写電源８０から二次転写ローラ８に正極性の電圧を印加すると、負極性のトナーが中間転写ベルト６から二次転写ローラ８に向かう方向の電界が二次転写部Ｎ２に形成される。
【００４３】
本実施例では、二次転写電源８０は、電流検知回路を有し、画像形成装置１００のコントローラ（図２）１１０により、定電圧制御に加え、所望の電流をターゲットとしたソフトウェア的な定電流制御を実施することも可能となっている。
【００４４】
又、本実施例では、画像形成装置１００は、二次転写ローラ８の表面に付着したトナーを除去するための二次転写部材クリーニング手段としてのローラクリーナ９を有する。ローラクリーナ９は、クリーニング部材として、板状の弾性体であるクリーニングブレード９１と、クリーニングブレード９１によって二次転写ローラ８の表面から除去されたトナーを回収する回収容器９２と、を有する。クリーニングブレード９１は、回転する二次転写ローラ８の表面からトナーを掻き取って、回収容器９２に回収する。
【００４５】
５．クリーニングブラシ
本実施例では、クリーニングブラシ１１として、１０6〜１０10Ωｃｍの導電性を有するナイロン製の繊維が密に配列されたブラシを用いた。この繊維の単糸繊度は５ｄｔｅｘ、長さは５ｍｍ、配列密度は６５Ｆ／ｍ2であった。又、本実施例では、クリーニングブラシ１１は、画像形成装置１００に固定して配置され、その先端位置が中間転写ベルト６の表面に対して侵入量が１．０ｍｍとなるように設定されている。クリーニングブラシ１１は、中間転写ベルト６を介して駆動ローラ６１に対し押圧される。そして、クリーニングブラシ１１は、中間転写ベルト６の移動に伴って中間転写ベルト６の表面を摺擦する。
【００４６】
クリーニングブラシ１１には、クリーニング電源１２から、−２．０〜＋２．０ｋＶのクリーニング電圧の印加が可能となっている。即ち、本実施例では、クリーニング電源１２は、定電圧制御にて、クリーニングブラシ１１に対して正負両極性の電圧を印加することができる。
【００４７】
６．通常印字モードと縁無し印字モード
本実施例の画像形成装置１００の印字モードについて説明する。
【００４８】
本実施例の画像形成装置１００は、転写材Ｐ上の周囲四辺部に余白領域を設け、同領域を除く領域内にのみ画像を形成する通常印字モードと、その余白領域も含め転写材Ｐ上の全域に画像を形成する縁無し印字モードとを実行可能である。
【００４９】
本実施例においては、通常印字モードでは、矩形の転写材Ｐの周囲四辺部に対して各辺５ｍｍだけ転写材Ｐの内側に収まるサイズのトナー像を感光ドラム１上に形成し、中間転写ベルト６上に一次転写した後に、転写材Ｐ上に二次転写する。
【００５０】
一方、縁無し印字モードでは、矩形の転写材Ｐの周囲四辺部に対して各辺２ｍｍだけ転写材Ｐに対してはみ出して配置されるサイズのトナー像を感光ドラム１上に形成し、中間転写ベルト６上に一次転写した後に、転写材Ｐ上に二次転写する。二次転写工程において、中間転写ベルト６上のトナー像と転写材Ｐとの間の位置関係に多少のずれが生じたとしても、上記サイズのトナー像を形成することで、転写材Ｐ上に確実に縁無し画像（余白無し画像）を得ることができる。
【００５１】
尚、縁無し印字モードでは、二次転写工程において、トナー像の一部が二次転写ローラ８上に付着することがある。このトナーは、ローラクリーナ９で除去される。
【００５２】
このように、本実施例では、画像形成装置１００は、少なくとも次の２種類の印字モード（画像形成モード）を有する。一つは、二次転写部Ｎ２を通過する転写材Ｐの搬送方向及びそれに直交する方向における各端部よりも転写材Ｐの内側に収まるように中間転写ベルト６上にトナー像が形成される印字モードである。この印字モードは、転写材Ｐの画像転写面上において、転写材Ｐの搬送方向の先端部、後端部、左端部及び右端部のそれぞれから内側に、画像を形成することのできない所定の領域（余白）が設定された、所謂、「縁有り画像」を形成する印字モードである。もう一つは、二次転写部Ｎ２を通過する転写材Ｐの上記各端部のうち少なくとも１つよりも転写材Ｐの外側にはみ出すように中間転写ベルト６上にトナー像が形成されるモードである。このモードは、典型的には、転写材Ｐの画像転写面上において、転写材Ｐの移動方向の先端部から後端部、及び左端部から右端部の全域に、所謂、「縁無し画像」を形成することのできる印字モードである。尚、縁無し画像は、一般に、転写材Ｐの画像転写面上において、転写材Ｐの移動方向の先端部、後端部、左端部、及び右端部に関して余白が無い画像であるが、縁無し画像として、このうち少なくとも１つの余白がない無い画像も形成することができる。
【００５３】
本実施例の画像形成装置１００では、縁無し印字モードで印字が行われる際に、はみ出し発生判断手段としてのコントローラ１１０（図２）により、二次転写部Ｎ２における転写材Ｐからのトナー像のはみ出しが発生すると判断される。そして、この判断結果に基づいて、後述のクリーニング電圧制御が実施される。
【００５４】
７．両面印字機能
本実施例の画像形成装置１００は、自動両面搬送機構３０を有し、転写材Ｐの両面に対して自動的に画像形成を行うことが可能である。つまり、一面目の印字を終え定着装置４０から排出された転写材Ｐを、自動両面搬送機構３０により再び二次転写部Ｎ２へと供給し、同一の転写材Ｐの二面目に対して続けて印字を行うことができる。
【００５５】
自動両面搬送機構３０は、経路切替手段としてのフラッパ３１、転写材Ｐの搬送路としての反転パス３２及び再供給パス３３、搬送手段としての搬送ローラ３４、スイッチバックローラ３５、再供給ローラ３６などを有して構成される。両面印字を行う際には、フラッパ３１により、転写材Ｐが反転パス３２に向かうように搬送経路を切り替えられる。一面目の印字を終えて定着装置４０から排出された転写材Ｐは、搬送ローラ３４、スイッチバックローラ３５によって反転パス３２内を搬送される。その後、スイッチバックローラ３５が反転されて、転写材Ｐは再供給パス３５に導入され、再供給ローラ３６によって、中間転写ベルト６上への二面目の画像の形成動作と同期するようにして、二次転写部Ｎ２に供給される。二面目の画像が転写された転写材Ｐは、定着装置４０で定着処理を施された後に、フラッパ３１によって画像形成装置１００の外部へ排出される方向に導かれる。
【００５６】
８．制御態様
図２は、本実施例の画像形成装置１００における、主に本実施例における後述するクリーニング電圧制御に係る概略制御態様を示す。画像形成装置１００は、制御部であるコントローラ（ＤＣコントローラ）１１０を有する。コントローラ１１０は、画像形成装置１００の動作全般を統括的に制御する。特に、本実施例における後述するクリーニング電圧制御と関連して、コントローラ１１０は、一次転写電源５０、二次転写電源８０、クリーニング電源５０からの電圧の出力のＯＮ／ＯＦＦ、出力する電圧の極性や値の変更などの制御を行う。コントローラ１１０には、画像形成装置１００に設けられた操作部１２０、画像形成装置１００と通信可能に接続されたパーソナルコンピュータなどの外部装置２００からの入力が接続されている。そして、コントローラ１１０には、これらからの印刷モードや転写材Ｐの選択指示などが入力される。コントローラ１１０には、制御手段としてのＣＰＵ１１１、記憶手段としてのＲＯＭ１１２、ＲＡＭ１１３などが設けられており、ＣＰＵ１１１が、ＲＯＭ１１２やＲＡＭ１１３に記憶されたプログラムやデータに従って制御を実行する。
【００５７】
９．中間転写ベルトの基本的なクリーニング方法
次に、中間転写ベルト６のクリーニング方法について更に説明する。本実施例では、中間転写ベルト６上の転写残トナーは、ベルトクリーナ１０のクリーニングブラシ１１の作用により中間転写ベルト６から除去される。
【００５８】
ここでは、先ず、ベルトクリーナ１０による中間転写ベルト６のクリーニング動作の基本動作として、通常印字モードにおいて転写材Ｐの一面目に対する二次転写工程後の中間転写ベルト６をクリーニングする場合について説明する。
【００５９】
図３は、クリーニング部Ｎ３の近傍におけるクリーニングブラシ１１やトナーの様子を模式的に示す。本実施例の画像形成装置１００では、正規の帯電極性が負極性のトナーが使用され、一次転写工程と二次転写工程では、それぞれ正極性の一次転写電圧と正極性の二次転写電圧が印加される。この場合、図３に示すように、二次転写工程後の中間転写ベルト６上には、正極性の二次転写電圧の影響を受けて、正負両極性に帯電した転写残トナーが生じる。この転写残トナーを処理するため、クリーニングブラシ１１には、トナーの正規の帯電極性（本実施例では負極性）とは逆極性である正極性のクリーニング電圧が印加される。これにより、中間転写ベルト６上の転写残トナーは、中間転写ベルト６の移動に伴ってクリーニング部Ｎ３を通過するときに、正極性に帯電される（正電荷が付与される）。このトナーは、中間転写ベルト６の移動に伴って搬送される。そして、このトナーは、後続ページの一次転写工程と同時、又はページ間（紙間）や画像形成完了後（後回転）のタイミングで、いずれかの画像形成部Ｓ（本実施例では第１の画像形成部Ｓａ）の一次転写部Ｎ１で感光ドラム１に逆転写される。このとき、その画像形成部Ｓの一次転写ローラ５には、逆転写電圧として、一次転写電源５０から、トナーの正規の帯電極性とは逆極性である正極性の電圧が印加される。そして、中間転写ベルト６から感光ドラム１に逆転写されたトナーは、ドラムクリーナ７によって感光ドラム１上から除去されて回収される。
【００６０】
以上のクリーニング電圧の制御は、通常印字モードにおけるものである。しかし、前述のように、二次転写部において中間転写体上のトナー像の一部が転写材からはみ出すような配置で二次転写工程が行われると、中間転写体上に多量のトナーが残留する。そして、この転写残トナーが、中間転写体の表面の移動方向において二次転写部より下流に設けられたクリーニング部材に侵入することで、クリーニング部材の入り口部付近で滞留したり、中間転写体上から離れて飛散したりする現象が生じることがある。この滞留したり飛散したりしたトナーは、画像形成装置の内部や転写材上に落下し、装置の汚れや画像不良を発生させる原因となる。
【００６１】
従って、本実施例の目的の一つは、中間転写体上のトナー像が転写材からはみ出すような配置で二次転写工程が行われた場合でも、中間転写体上に発生した転写残トナーを良好にクリーニング部材により静電的に除去できるようにすることである。又、これにより、装置の汚れや画像不良の発生を抑制できるようにすることも、本実施例の目的の一つである。
【００６２】
１０．クリーニング電圧
本実施例の画像形成装置１００では、上述の目的のために、中間転写ベルト６のクリーニングのためのクリーニング電圧の極性を、印字モードと印字面に応じて変更する。
【００６３】
各印字モード、印字面で印字を行う際に使用されるクリーニング電圧の極性を表１に示す。
【００６４】
【表１】
0005709589.tif 000002
【００６５】
通常印字モードでは、転写材Ｐの一面目の二次転写工程で生じた転写残トナーのクリーニング動作において、正極性のクリーニング電圧が印加される。又、通常印字モードでは、転写材Ｐの二面目の二次転写工程で生じた転写残トナーのクリーニング動作においても、正極性のクリーニング電圧が印加される。
【００６６】
一方、縁無し印字モードでは、転写材Ｐの一面目の二次転写工程で生じた転写残トナーのクリーニング動作において、正極性のクリーニング電圧が印加される。しかし、縁無し印字モードでは、転写材Ｐの二面目の二次転写工程で生じた転写残トナーのクリーニング動作においては、負極性のクリーニング電圧が印加される。
【００６７】
ここで、このような極性のクリーニング電圧を選択的に印加する理由について説明する。
【００６８】
図４は、通常印字モードにおける二次転写前後の二次転写部Ｎ２でのトナーの様子を模式的に示す。又、図５は、縁無し印字モードにおける二次転写前後の二次転写部Ｎ２でのトナーの様子を模式的に示す。尚、図４及び図５は、転写材Ｐの周囲四辺部のうちの何れか一辺の近傍を示す。
【００６９】
尚、本実施例の説明内で挙げる二次転写電圧、クリーニング電圧、トナーの平均電荷量に関する数値は、本実施例の画像形成装置１００を用いて、キヤノン製ＣＬＣ用紙（坪量８０ｇ／ｍ2）に印字を行った際の代表値とした。
【００７０】
・通常印字モード
図４（ａ）は、通常印字モードにおける転写前の状態を示す。中間転写ベルト６上には、転写前の負極性のトナー（転写前トナー）が載っている。この転写前トナーの平均電荷量は約−３０μＣ／ｇである。
【００７１】
図４（ｂ）は、通常印字モードにおける転写後の状態を示す。二次転写電圧（約＋２．０ｋＶ）により、中間転写ベルト６上のトナーのほとんどが転写材Ｐ上に転写され、中間転写ベルト６上には少量のトナー（転写残トナー）が残留している。残留率は１０％程度である。この転写残トナーには、正負両極性のトナーが混在している。この転写残トナーの平均電荷量は約±０μＣ／ｇである。
【００７２】
この転写残トナーは、中間転写ベルト６の移動によりクリーニング部Ｎ３に搬送された後、正極性のクリーニング電圧（＋１．０ｋＶ）により、正極性に帯電される（図３）。この帯電された転写残トナーの平均電荷量は約＋５０μＣ／ｇである。その後、この帯電された転写残トナーは、第１の画像形成部Ｓａの一次転写部Ｎ１ａに搬送され、感光ドラム１ａに逆転写される。このとき、第１の画像形成部Ｓａの一次転写ローラ５ａには、一次転写電源５０ａから正極性の逆転写電圧（＋０．５ｋＶ）が印加される。そして、感光ドラム１ａに逆転写されたトナーは、ドラムクリーナ７ａによって感光ドラム１ａ上から除去されて回収される。
【００７３】
尚、通常印字モードでは、クリーニング電圧として、正極性ではなく、負極性のクリーニング電圧を用いることも可能である。この場合、中間転写ベルト６上の転写残トナーは、負極性のクリーニング電圧によって負極性に帯電され、いずれかの画像形成部Ｓの一次転写部Ｎ１で、負極性の逆転写電圧によって感光ドラム１に逆転写させることができる。しかし、本実施例の画像形成装置１００で連続的な印字動作を行う場合には、クリーニング工程の直後に後続ページ画像の一次転写を、正極性の一次転写電圧により行うことが望ましい。従って、このような動作まで想定すると、クリーニング電圧は、負極性ではなく、正極性とすることが望ましい。
【００７４】
以上のように、通常印字モードでは、一面目、二面目のいずれの二次転写工程後のクリーニング動作においても、正極性のクリーニング電圧により、良好に中間転写ベルト６をクリーニングすることができる。
【００７５】
・縁無し印字モード
図５（ａ）は、縁無し印字モードにおける転写前の状態を示す。中間転写ベルト６上には、転写前の負極性のトナー（転写前トナー）が、転写材Ｐ上に対応する領域と、転写材Ｐからはみ出す領域（はみ出し領域）と、の両者にまたがる形で載っている。この転写前トナーの平均電荷量は約−３０μＣ／ｇである。
【００７６】
図５（ｂ）、（ｃ）は、縁無し印字モードにおける転写後の状態を示す。転写材Ｐ上に対応する領域では、図４（ｂ）の場合と同様、二次転写電圧（約＋２．０ｋＶ）により、中間転写ベルト６上のトナーのほとんどが転写材Ｐ上に転写され、中間転写ベルト６上には少量のトナー（転写残トナー）が残留している。残留率は１０％程度である。この領域の転写残トナーには、正負両極性のトナーが混在している。この転写残トナーの平均電荷量は約±０μＣ／ｇである。これに対し、はみ出し領域では、中間転写ベルト６上に多量のトナー（転写残トナー）が残留している。残留率は５０％以上である。又、この領域の転写残トナーは、印字面によって極性が異なる。
【００７７】
図５（ｂ）は、縁無し印字モードにおける一面目の転写後の状態を示す。二次転写ローラ８には、二次転写電源８０から正極性の転写電圧（約＋２．０ｋＶ）が印加される。この転写電圧により、転写材Ｐ上に対応する領域では、中間転写ベルト６上のトナーが高効率で転写材Ｐ上に転写される。ところが、はみ出し領域では、中間転写ベルト６と二次転写ローラ８との間に転写材Ｐの厚み分に相当するエアギャップ（約１５０μｍ）が形成されている。そのため、中間転写ベルト６と二次転写ローラ８との間の転写電界が弱まり、少量のトナーが二次転写ローラ８上に移動するものの、５０％以上のトナーが中間転写ベルト６上に残留する。この領域の転写残トナーの極性は、負極性（平均電荷量は約−３０μＣ／ｇ）のままである。
【００７８】
転写材Ｐ上に対応する領域の転写残トナーは、中間転写ベルト６の移動によりクリーニング部Ｎ３に搬送された後、正極性のクリーニング電圧（＋１．０ｋＶ）により、正極性に帯電される（図３参照）。この帯電された転写残トナーの平均電荷量は約＋５０μＣ／ｇである。その後、この帯電された転写残トナーは、第１の画像形成部Ｓａの一次転写部Ｎ１ａにおいて、正極性の逆転写電圧（＋０．５ｋＶ）により感光ドラム１ａに逆転写される。そして、感光ドラム１ａに逆転写されたトナーは、ドラムクリーナ７ａによって感光ドラム１ａ上から除去されて回収される。
【００７９】
一方、はみ出し領域の転写残トナーは、転写材Ｐ上に対応する領域の転写残トナーに比べて量が多い。この領域の転写残トナーのうち一部は、転写材Ｐ上に対応する領域の転写残トナーと同様に、クリーニング部Ｎ３に搬送された後、正極性のクリーニング電圧（＋１．０ｋＶ）により正極性に帯電され、その後感光ドラム１ａに逆転写される。そして、感光ドラム１ａに逆転写されたトナーは、ドラムクリーナ７ａによって感光ドラム１ａ上から除去されて回収される。しかし、はみ出し領域の転写残トナーのうち上記以外の大部分は、クリーニング部Ｎ３で正極性に帯電されず、負極性のままとなり、正極性の電圧が印加されたクリーニングブラシ１１内部に電気的に回収される。この様子を図６に示す。
【００８０】
尚、クリーニングブラシ１１内に回収されたトナーは、ページ間（紙間）や画像形成完了後（後回転）などのタイミングで、負極性に切り替えられたクリーニング電圧（−１．０ｋＶ）によりクリーニングブラシ１１から中間転写ベルト６上に排出される。即ち、クリーニングブラシ１１内に回収されたトナーは、画像形成時以外の所定のタイミングで、中間転写ベルト６上に排出される。その後、この中間転写ベルト６上に排出されたトナーは、第１の画像形成部Ｓａの一次転写部Ｎ１ａに搬送され、感光ドラム１ａに逆転写される。このとき、第１の画像形成部Ｓａの一次転写ローラ５ａに一次転写電源５０ａから印加される逆転写電圧も負極性に切り替えられる（−０．５ｋＶ）。そして、感光ドラム１ａに逆転写されたトナーは、ドラムクリーナ７ａによって感光ドラム１ａ上から除去されて回収される。
【００８１】
以上のように、縁無し印字モードでは、一面目の二次転写工程後のクリーニング動作においては、正極性のクリーニング電圧により、良好に中間転写ベルト６をクリーニングすることができる。
【００８２】
図５（ｃ）は、縁無し印字モードにおける二面目の転写後の状態を示す。二次転写ローラ８には、一面目の二次転写工程より絶対値の高い、正極性の転写電圧（約＋２．７ｋＶ）が印加される。一面目の二次転写工程後に定着装置４０を通過することにより含有水分が蒸発して電気抵抗の上昇した転写材Ｐに対して、良好な転写効率（一面目同等）を確保するためである。この転写電圧により、転写材Ｐ上に対応する領域では、中間転写ベルト６上のトナーが高効率で転写材Ｐ上に転写される。
【００８３】
ところが、はみ出し領域では、中間転写ベルト６上に多量のトナーが残留する。この領域の転写残トナーの極性の傾向は、図５（ｂ）に示す一面目の場合とは逆に、正極性（平均電荷量：約＋１０μＣ／ｇ）である。これは、高い転写電圧により中間転写ベルト９と二次転写ローラ８との間の電界が強まり、二次転写ローラ８から中間転写ベルト６の方向に正放電が生じて、トナーの帯電極性が正極性に反転するためである。従って、この領域では、少量のトナーが二次転写ローラ８上に移動するものの、５０％以上のトナーが中間転写ベルト６上に残留する。
【００８４】
このように、はみ出し領域の転写残トナーは、量が多く且つ正極性である。このトナーに対し、正極性のクリーニング電圧を印加してしまうと、このトナーはクリーニング部Ｎ３でクリーニングブラシ１１と電気的に反発する。そして、このトナーが、クリーニング部Ｎ３の入り口付近でせき止められて滞留してしまったり、中間転写ベルト６上から離れて空気中を飛散してしまったりする。この様子を図７に示す。このように滞留したり、飛散したりしたトナーは、画像形成装置１００の内部（特に、二次転写部Ｎ２から定着装置４０にかけての部分）や転写材Ｐ上に落下し、画像形成装置１００の汚れや画像不良を引き起こす原因となる。
【００８５】
そこで、本実施例の画像形成装置１００では、縁無し印字モードにおける二面目の二次転写工程後のクリーニング動作においては、クリーニング電圧を負極性とする（−１．０ｋＶ）。このクリーニング電圧により、はみ出し領域の正極性の転写残トナーの多くが、クリーニング部Ｎ３内に侵入した際に、クリーニングブラシ１１の内部に回収される。この様子を図８に示す。従って、クリーニングブラシ１１とトナーとの間の電気的反発を抑え、クリーニング部Ｎ３の入り口付近でトナーがせき止められて滞留してしまったり、飛散してしまったりする現象を抑制することができる。
【００８６】
尚、上記負極性のクリーニング電圧の印加により、転写材Ｐ上に対応する領域の転写残トナー、及びはみ出し領域の転写残トナーの一部は、負極性に帯電され、クリーニング部Ｎ３を通過する。このトナーは、第１の画像形成部Ｓａにおいて一次転写ローラ５ａに印加された負極性の逆転写電圧（−０．５ｋＶ）により感光ドラム１ａに逆転写される。そして、感光ドラム１ａに逆転写されたトナーは、ドラムクリーナ７ａによって感光ドラム１ａ上から除去されて回収される。又、クリーニングブラシ１１内に回収された正極性のトナーは、ページ間（紙間）や画像形成完了後（後回転）などのタイミングで、正極性に切り替えられたクリーニング電圧（＋１．０ｋＶ）によりクリーニングブラシ１１から中間転写ベルト６上に排出される。その後、この中間転写ベルト６上に排出されたトナーは、第１の画像形成部Ｓａにおいて一次転写ローラ５ａに印加された正極性の逆転写電圧（＋０．５ｋＶ）により感光ドラム１ａに逆転写される。そして、感光ドラム１ａに逆転写されたトナーは、ドラムクリーナ７ａによって感光ドラム１ａ上から除去されて回収される。
【００８７】
以上のように、縁無し印字モードでは、二面目の二次転写工程後のクリーニング動作においては、負極性のクリーニング電圧により、良好に中間転写ベルト６をクリーニングすることができる。
【００８８】
尚、本実施例の画像形成装置１００では、二次転写電圧と、はみ出し領域の転写残トナーの平均電荷量との関係は、図９に示す通りとなる。つまり、二次転写電圧が低い場合、はみ出し領域の転写残トナーの電荷量は、転写前のトナーと同様に負極性のままである。二次転写電圧が上昇すると、上述のような放電の影響により、負極性の電荷量が次第に減少し、遂にＶｔ２ｔｈ（約＋２．４５ｋＶ）において±０μＣ／ｇとなる。二次転写電圧がこれよりも上昇すると、更に放電の影響が強まり、正極性の電荷量が増していく。ここで上記Ｖｔ２ｔｈは、はみ出し領域の転写残トナーの極性が、負極性から正極性に変わる閾値電圧である。この閾値電圧は、二次転写部Ｎ２の構成部材（対向ローラ６２、中間転写ベルト６、二次転写ローラ８）の電気抵抗、プロセススピードなどによって決まる。
【００８９】
このように、本実施例によれば、画像形成装置１００は、トナー像を担持する像担持体６と、転写電圧が印加されて転写部Ｎ２において像担持体６から転写材Ｐにトナー像を転写させる転写手段８と、を有する。又、画像形成装置１００は、クリーニング電圧が印加されて像担持体上の残留トナーを帯電させるか又は一時的に回収するクリーニング部材１１と、クリーニング部材に電圧を印加するクリーニング電圧印加手段１２と、を有する。又、画像形成装置は、転写部Ｎ２において転写材Ｐからはみ出す像担持体上のはみ出し領域の残留トナーの発生の有無を判断するはみ出し発生判断手段１１０と、制御手段１１１と、を有する。そして、制御手段１１１は、はみ出し発生判断手段１１０によりはみ出し領域に残留トナーが発生したと判断された際に、転写電圧が所定値より大きい場合はトナー像を形成するトナーの帯電極性と同極性のクリーニング電圧をクリーニング部材１１に印加させる。又、制御手段１１１は、はみ出し発生判断手段１１０によりはみ出し領域に残留トナーが発生したと判断された際に、転写電圧が前記所定値以下の場合はトナー像を形成するトナーの帯電極性と逆極性のクリーニング電圧をクリーニング部材１１に印加させる。
【００９０】
特に、本実施例では、画像形成装置１００は、転写材Ｐの両面に対して画像形成を行うことが可能であり、転写電圧は像担持体６からトナー像を転写させる面が転写材Ｐの一面目であるか二面目であるかによって決定される。そして、制御手段１１１は、像担持体６からトナー像を転写させる面が転写材Ｐの一面目であるか二面目であるかによってはみ出し発生判断手段１１０によりはみ出し領域に残留トナーが発生したと判断された際のクリーニング電圧を制御する。これは、転写材Ｐの両面に対して画像形成を行う際の二面目の転写工程における転写電圧が前記所定値を超えるからである。
【００９１】
１１．印字動作の詳細
上述のクリーニング電圧を本実施例の画像形成装置１００で実際に使用して印字を行う際の動作を、図１０及び図１１のタイミングチャートを用いて更に詳細に説明する。
【００９２】
・通常印字モード
図１０（ａ）は、通常印字モードの片面印字ジョブに関するものである。一例として、２ページ印字の場合を示している。尚、ジョブとは、一の印字動作開始指示により開始される単数又は複数の転写材Ｐに対する一連の印字動作である。
【００９３】
画像形成装置１００に印字ジョブが送信され、印字動作が開始されると、画像形成前の準備工程として前回転が開始される（時刻ｓ１）。このとき、待機用の二次転写電圧Ｖｔ２ｗ（＋０．５ｋＶ）と、待機用のクリーニング電圧Ｖｃｌｗ（＋０．５ｋＶ）が印加される。続いて、第一ページ画像（Ｐ１画像）の二次転写が開始される（時刻ｓ２）。ここでは、二次転写電源８０により所望の転写電流（２０μＡ）をターゲットとした定電流制御が行われ、好適な二次転写電圧Ｖｔ２（約＋２．０ｋＶ）が印加される。又、二次転写部Ｎ２からクリーニング部Ｎ３まで中間転写ベルト６が移動する時間（時刻ｓ３−時刻ｓ２）を置き、Ｐ１画像の転写残トナーをクリーニングするための正極性のクリーニング電圧Ｖｃｌｐ（＋１．０ｋＶ）が印加される（時刻ｓ３）。そして、Ｐ１画像の二次転写が完了すると、Ｐ１画像を転写する転写材Ｐと第二ページ画像（Ｐ２画像）を転写する転写材Ｐとの間（紙間と言う）では、再び待機用の二次転写電圧Ｖｔ２ｗが印加される（時刻ｓ４）。次に、Ｐ２画像の二次転写が開始されると（時刻ｓ５）、Ｐ１画像の場合と同様、再び定電流制御により二次転写電圧Ｖｔ２が印加される。クリーニング電圧についても、Ｐ１画像の転写残クリーニングが完了すると、紙間に対応する期間では、再び待機用のクリーニング電圧Ｖｃｌｗが印加される（時刻ｓ５）。又、次に、Ｐ２画像の転写残トナーをクリーニングするための正極性のクリーニング電圧Ｖｃｌｐが印加される（時刻ｓ６）。Ｐ２画像の二次転写が完了すると、二次転写電圧はＯＦＦされ、画像形成後の処理工程である後回転が行われる（時刻ｓ７）。クリーニング電圧も、Ｐ２画像の転写残クリーニングが終わり次第ＯＦＦされる（時刻ｓ８）。そして、後回転の終了に伴い、印字動作が完了する（時刻ｓ９）。
【００９４】
図１０（ｂ）は、通常印字モードの両面印字ジョブに関するものである。一例として、一枚の転写材Ｐの一面目にＰ１画像、二面目にＰ２画像を印字する場合を示している。尚、以下の説明で、図１０（ａ）と同様の部分に関する説明は省略する。
【００９５】
印字動作が開始されると、前回転が開始され、次いで転写材Ｐの一面目に対してＰ１画像の印字が行われる。二次転写電圧としては、Ｖｔ２ｓ（約＋２．０ｋＶ）が印加される。その後、自動両面印字機構３０により転写材Ｐを反転、再給紙し、転写材Ｐの二面目に対してＰ２画像の印字が行われる。二次転写電圧としては、一面目と同様、所望の転写電流（２０μＡ）をターゲットとした定電流制御により、Ｖｔ２ｄ（約＋２．７ｋＶ）が印加される。この通常印字モードの両面印字ジョブにおいても、Ｐ１画像、Ｐ２画像の両方の転写残トナーのクリーニングのために、正極性のクリーニング電圧Ｖｃｌｐが印加される。
【００９６】
・縁無し印字モード
図１１（ａ）は、縁無し印字モードの片面印字ジョブに関するものである。一例として、２ページ印字の場合を示している。
【００９７】
印字動作が開始されると、前回転が開始され、次いでＰ１画像、Ｐ２画像の印字が行われる。縁無し印字モードの片面印字ジョブにおいても、Ｐ１画像、Ｐ２画像の両方の転写残トナーのクリーニングのために、正極性のクリーニング電圧Ｖｃｌｐが印加される。
【００９８】
尚、縁無し印字モードの片面印字ジョブでは、クリーニングブラシ１１内に回収されたトナーを負極性のクリーニング電圧Ｖｃｌｎにより排出される処理が後回転時に行われる（時刻ｓ８から時刻ｓ９）。
【００９９】
図１１（ｂ）は、縁無し印字モードの両面印字ジョブに関するものである。一例として、一枚の転写材Ｐの一面目にＰ１画像、二面目にＰ２画像を印字する場合を示している。
【０１００】
印字動作が開始されると、前回転が開始され、次いで転写材Ｐの一面目に対してＰ１画像の印字が行われる。その後、自動両面印字機構３０により転写材Ｐを反転、再給紙し、転写材Ｐの二面目に対してＰ２画像の印字が行われる。縁無し印字モードの両面印字ジョブにおいては、Ｐ１画像の転写残トナーのクリーニングのためには、正極性のクリーニング電圧Ｖｃｌｐが印加され、Ｐ２画像の転写残トナーのクリーニングのためには負極性のクリーニング電圧Ｖｃｌｎが印加される。
【０１０１】
尚、縁無し印字モードの両面印字ジョブでは、クリーニングブラシ１１内に回収されたトナーを負極性のクリーニング電圧Ｖｃｌｎにより排出させる処理が両面搬送時に行われる（時刻ｓ５から時刻ｓ６）。又、同様に、クリーニングブラシ１１内に回収されたトナーを正極性のクリーニング電圧Ｖｃｌｐにより排出させる処理が後回転時に行われる（時刻ｓ１０から時刻ｓ１１）。
【０１０２】
以上説明したように、本実施例の画像形成装置１００では、縁無し印字モードによる印字が行われる際、クリーニング電圧の極性が、印字面に応じて自動的に変更される。これにより、クリーニング部材とトナーとの間の電気的反発を抑え、クリーニング部材の入り口付近でトナーがせき止められて滞留してしまったり、飛散してしまったりすることを抑制し、画像形成装置１００の汚れや画像不良の発生を良好に防止することができる。
【０１０３】
実施例２
次に、本発明に係る他の実施例について説明する。本実施例の画像形成装置の基本的な構成及び動作は実施例１のものと同じである。従って、実施例１のものと同一又はそれに相当する要素には同一符号を付して詳しい説明は省略する。
【０１０４】
本実施例では、クリーニング電圧極性の決定方法が実施例１とは異なる。
【０１０５】
実施例１では、縁無し印字モード時の中間転写ベルト６のクリーニング動作において、転写材Ｐの印字面に応じて自動的に異なる極性のクリーニング電圧を印加する制御を行った。これは、両面印字の二面目の二次転写工程における二次転写電圧が閾値電圧Ｖｔ２ｔｈ（図９）を超えることによるものであった。
【０１０６】
これに対し、本実施例の画像形成装置１００では、転写電圧検知手段としてのコントローラ１１０により、二次転写電圧の定電流制御を実施中の二次転写電源８０から二次転写ローラ８に出力される電圧値をリアルタイムでモニターする。又、本実施例では、所定期間中にモニターした上記電圧値を平均化する処理を行い電圧値の検知結果とする。そして、この検知結果に応じてクリーニング電圧の極性を随時変更しながら印字動作を行う。
【０１０７】
これにより、転写材Ｐの種類、ロット、保管条件などの違いにより、様々な異なる電気抵抗を有する転写材Ｐに対しても、常に最適な極性のクリーニング電圧を印加して印字を行うことができる。
【０１０８】
図１２は、本実施例の画像形成装置１００の印字動作を説明するためのタイミングチャートである。尚、本実施例の説明内で挙げる二次転写電圧の数値は、本実施例の画像形成装置１００を用いて、次のような低抵抗の転写材Ｐと高抵抗の転写材Ｐを使用して印字を行った際の代表値とした。低抵抗の転写材Ｐとしては、キヤノン製ＣＬＣ用紙（坪量８０ｇ／ｍ2）の未開封パックを開封した直後にパックから取り出した紙（開直紙）を使用した。又、高抵抗の転写材Ｐとしては、同用紙の低温低湿環境下で約１週間放置し含有水分を蒸発させた紙（放置紙）を使用した。
【０１０９】
・低抵抗の転写材
図１２（ａ）は、低抵抗の転写材Ｐを用いた縁無し印字モードの片面印字ジョブに関するものである。一例として、２ページ印字の場合を示している。画像形成装置１００に印字ジョブが送信され、印字動作が開始されると、画像形成前の準備工程として前回転が開始される（時刻ｓ１）。このとき、待機用の二次転写電圧Ｖｔ２ｗ（＋０．５ｋＶ）、待機用のクリーニング電圧Ｖｃｌｗ（＋０．５ｋＶ）が印加される。
【０１１０】
続いて、第一ページ画像（Ｐ１画像）の二次転写が開始される（時刻ｓ２）。ここでは、二次転写電源８０により、所望の転写電流（２０μＡ）をターゲットとした定電流制御が行われる。この定電流制御の最中、コントローラ１１０により、二次転写電源８０の電圧出力がリアルタイムに検知される。そして、二次転写部Ｎ２からクリーニング部Ｎ３まで中間転写ベルト６が移動する時間内（時刻ｓ３−時刻ｓ２）における平均電圧Ｖｔ２ａが算出される。
【０１１１】
本例では、平均電圧値Ｖｔ２ａ＝＋２．０ｋＶである。このとき、中間転写ベルト６上のはみ出し領域の転写残トナーの極性は負極性（平均電荷量：約−３０μＣ／ｇ）である。
【０１１２】
ここで、本実施例の画像形成装置１００では、実施例１で説明した閾値電圧Ｖｔ２ｔｈ（＋２．４５ｋＶ）を基準とする。
【０１１３】
そして、次式、
Ｖｔ２ａ≦Ｖｔ２ｔｈ
を満たす場合には、正極性のクリーニング電圧Ｖｃｌｐ（＋１．０ｋＶ）を印加するように設定されている。
【０１１４】
一方、次式、
Ｖｔ２ａ＞Ｖｔ２ｔｈ
を満たす場合には、負極性のクリーニング電圧Ｖｃｌｐ（−１．０ｋＶ）を印加するよう設定されている。
【０１１５】
これは、実施例１で説明した通り、中間転写ベルト６上のはみ出し領域の転写残トナーが、次式、
Ｖｔ２ａ≦Ｖｔ２ｔｈ
を満たす場合には負極性となり、次式、
Ｖｔ２ａ＞Ｖｔ２ｔｈ
を満たす場合には正極性となるためである。
【０１１６】
本例では、次式、
Ｖｔ２ａ≦Ｖｔ２ｔｈ
を満たす。従って、本例では、正極性のクリーニング電圧Ｖｃｌｐ（＋１．０ｋＶ）が印加される（時刻ｓ３から時刻ｓ５）。これにより、中間転写ベルト６上に負極性のまま残留する多量の転写残トナーを、良好にクリーニングすることができる。
【０１１７】
第二ページ画像（Ｐ２画像）についても同様の制御が行われる。即ち、時刻ｓ５から時刻ｓ６における平均電圧値Ｖｔ２ａが算出され、閾値電圧値Ｖｔ２ｔｈと比較され、時刻ｓ６から時刻ｓ８で正極性のクリーニング電圧Ｖｃｌｐが印加される。
【０１１８】
又、実施例１にて説明した図１１（ａ）の場合と同様に、クリーニングブラシ１１内に回収されたトナーが、後回転時に負極性のクリーニング電圧Ｖｃｌｎにより排出される処理が行われる（時刻ｓ８から時刻ｓ９）。
【０１１９】
・高抵抗の転写材
図１２（ｂ）は、高抵抗の転写材Ｐを用いた縁無し印字モードの片面ジョブに関するものである。以下、上記低抵抗の転写材Ｐを用いた場合と同様の部分に関する説明は省略する。
【０１２０】
本例では、平均電圧値Ｖｔ２ａ＝＋２．６ｋＶとなる。このとき、中間転写ベルト６上のはみ出し領域の転写残トナーの極性は正極性（平均電荷量：約＋１０μＣ／ｇ）である。
【０１２１】
本例では、次式、
Ｖｔ２ａ＞Ｖｔ２ｔｈ
を満たす。従って、本例では、負極性のクリーニング電圧Ｖｃｌｎ（−１．０ｋＶ）が印加される（時刻ｓ３から時刻ｓ５）。これにより、中間転写ベルト６上に正極性となって残留する多量の転写残トナーを、良好にクリーニングすることができる。
【０１２２】
第二ページ画像（Ｐ２画像）についても同様の制御が行われる。即ち、時刻ｓ５から時刻ｓ６における平均電圧値Ｖｔ２ａが算出され、閾値電圧値Ｖｔ２ｔｈと比較され、時刻ｓ６から時刻ｓ８で負極性のクリーニング電圧Ｖｃｌｐが印加される。
【０１２３】
又、実施例１にて説明した図１１（ｂ）の場合と同様に、クリーニングブラシ１１内に回収されたトナーが、後回転時に正極性のクリーニング電圧Ｖｃｌｐにより排出される処理が行われる（時刻ｓ８から時刻ｓ９）。
【０１２４】
以上説明したように、本実施例の画像形成装置１００では、縁無し印字モードにおけるクリーニング電圧の極性が、転写電圧をリアルタイムに検知した結果に応じて随時変更される。これにより、転写材Ｐの種類、ロット、保管条件などによらず、画像形成装置１００の汚れや画像不良の発生を良好に防止することができる。
【０１２５】
実施例３
次に、本発明に係る他の実施例について説明する。本実施例の画像形成装置の基本的な構成及び動作は実施例１、２のものと同じである。従って、実施例１、２のものと同一又はそれに相当する要素には同一符号を付して詳しい説明は省略する。
【０１２６】
本実施例では、転写材Ｐに対するトナー像のはみ出しの発生の判断方法が実施例１、２とは異なる。
【０１２７】
本実施例の画像形成装置１００では、ユーザーが、画像形成装置１００に接続されたパーソナルコンピュータなどの外部装置２００のプリンタードライバー上で、カセット２１にセットされた転写材Ｐのサイズを設定できる。この転写材Ｐのサイズ情報は、画像形成装置１００の転写材サイズ検知手段としてのコントローラ１１０により検知される。本実施例では、設定可能な転写材Ｐの幅（搬送方向と略直交する方向の寸法）は１００ｍｍ〜２１６ｍｍ、長さ（搬送方向の寸法）は１４８ｍｍ〜２９７ｍｍの範囲である。
【０１２８】
尚、他の構成として、画像形成装置００が、カセット２１内にセットされている転写材Ｐのサイズを自動的に検知するための機械的或いは光学的な機構を備え、その検知結果がコントローラ１１０により検知されるような構成をとることも可能である。
【０１２９】
本実施例の画像形成装置１００では、通常印字モードで印字が行われる際、はみ出し発生判断手段としてのコントローラ１１０によって、中間転写ベルト６上のトナー像のサイズと、使用される転写材Ｐのサイズと、が比較する処理が行われる。ここで、コントローラ１１０は、使用される転写材Ｐのサイズが中間転写ベルト６上に形成するトナー像のサイズよりも小さいと判断した場合、二次転写部Ｎ２における転写材Ｐからのトナー像のはみ出しが発生すると判断する。そして、この判断結果に基づいて、クリーニング電圧制御として、実施例１、２にて説明した縁無し印字モードの場合と同様の制御が実施される。即ち、本実施例では、トナー像のサイズと転写材Ｐのサイズのミスマッチにより、二次転写部Ｎ２において転写材Ｐからはみ出す領域の中間転写ベルト６上に存在するトナーが、はみ出し領域の転写残トナーとなる。そして、本実施例におけるこのはみ出し領域の転写残トナーは、中間転写ベルト６のクリーニング動作において、実施例１、２におけるはみ出し領域の転写残トナーと同様に考えることができる。
【０１３０】
このとき、印字動作自体は最後まで行われるものの、印字動作完了後に、プリンタードライバーを介して外部装置２００の画面上に転写材Ｐのサイズのミスマッチが生じた旨の警告メッセージが表示される。画像形成装置１００に設けられた画面に同様の表示を行うこともできる。
【０１３１】
以上説明したように、本実施例の画像形成装置１００では、転写材Ｐのサイズのミスマッチが生じた場合でも、画像形成装置１００の汚れや画像不良の発生を良好に防止することができる。
【０１３２】
尚、本実施例では、転写材サイズ検知手段によって転写材Ｐのサイズが中間転写ベルト６上のトナー像のサイズよりも小さいことが検知された場合に、はみ出し発生判断手段が、二次転写部Ｎ２における転写材Ｐからのトナー像のはみ出しが発生すると判断した。しかし、転写材Ｐのサイズが中間転写ベルト６上のトナー像のサイズと同じか又は大きい場合でも、転写材Ｐが画像形成装置１００のカセット２１内に正しくセットされない場合が想定される。二次転写部Ｎ２で、中間転写ベルト６上のトナー像と転写材Ｐの位置が、二次転写ローラ８の長手方向（プロセス方向と垂直な方向）で大きくずれてしまえば、このような場合でも、二次転写部Ｎ２における転写材Ｐからのトナー像のはみ出しの発生はあり得る。このような場合に対応するために、画像形成装置１００のカセット２１内にセットされている転写材Ｐのサイズに加え、その位置をも自動的に検知するための機構を設け、その検知結果を元にクリーニング電圧の制御を行うことができる。即ち、この場合、画像形成装置１００は、上記転写材サイズ検知手段の代わりに、二次転写部Ｎ２における中間転写ベルト６上のトナー像に対する転写材Ｐの搬送位置ずれを検知する搬送位置ずれ検知手段を有する。搬送位置ずれ検知手段としては、カセット２１や搬送経路中に設けられた、転写材Ｐの搬送方向と略直交する方向の位置ずれを検知するセンサ、二次転写部Ｎ２におけるトナー像に対する転写材Ｐの搬送遅れを検知するセンサなどであってよい。例えば、転写材Ｐの画像形成装置内における装着位置などを検知することで、搬送位置ずれを検知することができる。そして、はみ出し発生判断手段は、この搬送位置ずれ検知手段の検知結果に基づいて、二次転写部Ｎ２における中間転写ベルト６上のトナー像の転写材Ｐからのはみ出しが発生することを判断する。このように、通常モードにおいて、二次転写部Ｎ２において転写材Ｐの縁の少なくとも一部からはみ出す領域の中間転写ベルト６上にトナー像が形成される場合に、本実施例の原理を適用することができる。
【０１３３】
その他
以上、本発明を具体的な実施例に則して説明したが、本発明は上述の実施例に限定されるものではない。
【０１３４】
例えば、上述の実施例では、中間転写体の静電クリーニング方式として、固定して配置されたブラシ状部材を用いた構成を例に説明したが、これに限定されるものではない。本発明は、ファーブラシローラなど、他のクリーニング部材を用いた構成にも適用可能であり、同様の効果を得ることが可能である。ファーブラシローラを用いた構成では、ファーブラシに電圧を印加し、中間転写体上の転写残トナーを一旦内部に回収する。そして、ファーブラシに回収したトナーは、電圧が印加されてファーブラシからトナーを静電的に回収する回収部材としての金属ローラなどのバイアスローラなどに転移させることができる。この回収部材によって回収したトナーは、更にシート部材で掻き取って回収容器に回収することができる。こうして、ファーブラシローラにより中間転写体を静電的にクリーニングすることができる。この場合も、上述の実施例において、はみ出し領域の転写残トナーを正負いずれかの極性のクリーニング電圧を印加して一旦クリーニングブラシに回収する場合と同様に考えることができる。従って、ファーブラシローラに対して、上述の実施例における当該場合と同様のクリーニング電圧制御を適用することができる。
【０１３５】
又、上述の実施例では、中間転写ベルトを用いた構成の画像形成装置を例に説明したが、これに限定されるものではない。本発明は、中間転写ドラム方式、多重現像方式などで静電クリーニング方式を採用した構成の画像形成装置にも適用可能であり、同様の効果を得ることが可能である。又、感光体から直接転写材にトナー像を転写する画像形成装置における感光体のクリーニングに対しても本発明を適用することができ、同様の効果が得ることが可能である。
【０１３６】
例えば、図１３は、感光ドラム１から直接転写材Ｐにトナー像を転写するモノカラー画像形成装置２００に本発明を適用した場合の一例を示す。尚、図１３の画像形成装置において図１の画像形成装置におけるものと同一又はそれに相当する機能、構成を有する要素には同一符号を付している。通常印字モードにおける転写残トナーのクリーニング動作の概略について説明する。図１３の画像形成装置２００は、感光ドラム１の回転方向において転写部Ｎの下流側且つ帯電ローラ２の上流側に、感光ドラム１に接触するように第１のクリーニングブラシ（残留トナー均一化手段）１１Ａを有する。又、画像形成装置２００は、感光ドラム１の回転方向においてこの第１のクリーニングブラシ１の下流側且つ帯電ローラ２の上流側に、感光ドラム１に接触するように第２のクリーニングブラシ（トナー帯電量制御手段）１１Ｂを有する。そして、第１のクリーニングブラシ１１Ａに正極性（トナーの正規の帯電極性とは逆極性）の電圧を印加する。又、第２のクリーニングブラシ１１Ｂに負極性（トナーの正規の帯電極性と同極性）の電圧を印加する。これにより、転写残トナーは、第１のクリーニングブラシ１１Ａで感光ドラム１上で均一化されると共に、除電されたり正極性に帯電されたりして第１のクリーニングブラシ１１Ａを通過する。その後、このトナーは、第２のクリーニングブラシ１１Ｂによって、負極性に帯電させられる。このトナーは、帯電ローラ２によって更に帯電されるなどした後、現像装置４との対向部に至る。そして、このトナーは、現像同時クリーニングによって、現像装置４に回収される。即ち、現像装置４が備える現像ローラなどの現像剤担持体と感光ドラム１との間のかぶり取りバイアス（感光ドラム１上の非画像部の電位と現像剤担持体に印加される現像電圧（現像バイアス）との電位差）によって現像剤担持体に転移して回収される。尚、転写残トナーの一部が第１のクリーニングブラシ１１Ａに回収されることがある。このトナーは、所定のタイミングで感光ドラム１上に排出し、所定の極性に帯電させた後、現像装置４で回収することができる。
【０１３７】
このような画像形成装置において、縁無し印字時や転写材のサイズのミスマッチや搬送位置ずれによって生じた感光ドラム１上のはみ出し領域の転写残トナーは、上述の実施例における中間転写ベルト上の転写残トナーと同様の性質を有することとなる。従って、このような画像形成装置においても、縁無し印字時や転写材のサイズのミスマッチや搬送位置ずれによって生じた感光ドラム１上のはみ出し領域の転写残トナーは、上述と同様の滞留や飛散による問題を引き起こすおそれがある。従って、このような画像形成装置においても、第１のクリーニングブラシ１１に対する電圧の制御として、上述の実施例におけるクリーニング電圧の制御を適用することができ、同様の効果を得ることができる。
【符号の説明】
【０１３８】
１          感光ドラム（第１の像担持体）
６          中間転写ベルト（第２の像担持体）
８          二次転写ローラ（転写手段）
１０        ベルトクリーナ
１１        クリーニングブラシ（クリーニング部材）
１２        クリーニング電源（電圧印加手段）
Ｐ          転写材
【図１】
0005709589.tif 000003
【図２】
0005709589.tif 000004
【図３】
0005709589.tif 000005
【図４】
0005709589.tif 000006
【図５】
0005709589.tif 000007
【図６】
0005709589.tif 000008
【図７】
0005709589.tif 000009
【図８】
0005709589.tif 000010
【図９】
0005709589.tif 000011
【図１０】
0005709589.tif 000012
【図１１】
0005709589.tif 000013
【図１２】
0005709589.tif 000014
【図１３】
0005709589.tif 000015